(57)【特許請求の範囲】
【請求項１】
基材シートと、この基材シートに対し剥離可能で再接着不能に積層された透明フィルムと、この透明フィルムに積層された透明な粘着剤層とこの粘着剤層に剥離可能に積層された剥離シートとからなり、
前記基材シートには、前記剥離シート側を内側として２つ折り可能とする折り線が形成され、
前記剥離シートには、前記折り線により二分された領域のうちの一方についてその剥離シートを除去可能とする半面除去用スリットが形成されると共に、他方の領域の周縁のうち少なくとも前記折り線を除いた三辺について前記剥離シートを部分的に除去可能とする周縁部除去用スリットが形成されており、
前記基材シートのうち、前記折り線によって二分された領域のうちの前記一方の領域には、前記折り線に沿って２つ折り状態としたとき、前記周縁部除去用スリットにより囲まれる領域の内側に位置し、前記透明フィルムから前記基材シートの一部を剥離可能な開封用のスリットが形成されると共に、
前記基材シート、これに積層された前記透明フィルム及び前記粘着剤層には、これらの一部領域が前記折り線により二分された領域のうちの前記一方の領域から一体的に切り離し可能な閉ループ状の窓形成用のスリットが重なり合って形成されていることを特徴とするカード作製用シート。
【請求項２】
前記基材シートの一部又は全部には、表示された情報を透かし見ることを防止する地紋が印刷されていることを特徴とする請求項１に記載のカード作製用シート。
【請求項３】
前記剥離シートの前記半面除去用スリットは、前記折り線により二分された領域のうち前記他方の領域内に形成されていることを特徴とする請求項１または請求項２に記載のカード作製用シート。
【発明の詳細な説明】
【技術分野】
【０００１】
本発明は、カード作製用シートに関する。
【背景技術】
【０００２】
従来、個人情報など親展情報を通知・郵送する場合に使用される情報隠蔽はがきとしては、例えば特許文献１に記載のカード作製用シートを用いて情報隠蔽はがきとしたものなどが知られている。
【０００３】
このカード作製用シートは、以下のような構成となっている。基材シートはミシン目によって２つの領域に等分され、この２つの領域のうち１の領域には個人情報等（以下、情報などという）が印刷され、他の領域には剥離後再貼り付け可能な粘着剤からなる粘着剤層と剥離シートが積層されてなり、基材シートのうち情報などが印刷された面と反対側の面に宛名が印刷されている。
【０００４】
このカード作製用シートは以下のように使用される。
まず基材シートの２つの面のうち接着剤と剥離シートが積層されていない方の面に宛名を印刷し、他方の面のうち、前述の１の領域に情報などを印刷する。次に、他の領域の剥離シートを剥離して粘着剤層を露出させ、情報などが印刷されている領域が内側になるようにミシン目に沿って折り重ねて２つの領域全体を貼りあわせることで情報隠蔽はがきとされて郵送される。次いで、この情報隠蔽はがきを受け取った顧客などは、このはがきの周縁部などをつまんで基材シートの情報などが印刷された領域から他の領域を捲って、内側に印刷された情報などを読む。
【特許文献１】特開平１１−７０７６７号公報
【発明の開示】
【発明が解決しようとする課題】
【０００５】
上記した公知の２つの領域を有するカード作製用シートは、基材シートの情報などが印刷された領域と他の領域の全体が貼り合わされることから、はがき等として使用する際には、宛名などの外側に記載すべき事項と個人情報などの内側に記載すべき事項とを別々の面に印刷する必要がある。また、情報などが印刷された領域と他の領域は剥離後再貼り付け可能な接着剤層によって貼り合わされているため、両者を剥離して内側に印刷された情報などを盗み見た後、再度接着することができ、開封の履歴が残らないという問題があった。
【０００６】
本発明は上記のような事情に基づいて完成されたものであって、はがき等を作製する際にも片面印刷が可能で、かつ、不正な開封を防止するカード作製用シートを提供することを目的とする。
【課題を解決するための手段】
【０００７】
上記の目的を達成するための手段として、請求項１の発明は、基材シートと、この基材シートに対し剥離可能で再接着不能に積層された透明フィルムと、この透明フィルムに積層された透明な粘着剤層とこの粘着剤層に剥離可能に積層された剥離シートとからなり、前記基材シートには、前記剥離シート側を内側として２つ折り可能とする折り線が形成され、前記剥離シートには、前記折り線により二分された領域のうちの一方についてその剥離シートを除去可能とする半面除去用スリットが形成されると共に、他方の領域の周縁のうち少なくとも前記折り線を除いた三辺について前記剥離シートを部分的に除去可能とする周縁部除去用スリットが形成されており、前記基材シートのうち、前記折り線によって二分された領域のうちの前記一方の領域には、前記折り線に沿って２つ折り状態としたとき、前記周縁部除去用スリットにより囲まれる領域の内側に位置し、前記透明フィルムから前記基材シートの一部を剥離可能な開封用のスリットが形成されると共に、前記基材シート、これに積層された前記透明フィルム及び前記粘着剤層には、これらの一部領域が前記折り線により二分された領域のうちの前記一方の領域から一体的に切り離し可能な閉ループ状の窓形成用のスリットが重なり合って形成されていることを特徴とするカード作製用シートである。
【０００８】
請求項２の発明は、請求項１に記載のものにおいて、前記基材シートの一部又は全部には、表示された情報を透かし見ることを防止する地紋が印刷されているところに特徴を有する。
【０００９】
請求項３の発明は、請求項１または請求項２に記載のものにおいて、前記剥離シートの前記半面除去用スリットは、前記折り線により二分された領域のうち前記他方の領域内に形成されているところに特徴を有する。
【発明の効果】
【００１０】
＜請求項１の発明＞
請求項１に記載のカード作製用シートを使用して、例えば、はがきを作製するには次のようにする。まず、剥離シートのうち周縁部除去用スリットが形成されている領域（他方の領域）に顧客に配信したい情報、住所および宛名などを印刷する。
【００１１】
このとき、２つ折りした際に窓部（後述する）が重ねられる位置に住所や宛名など外部に印刷すべき事項を印刷し、情報など内部に印刷すべき事項は、窓部が重ねられる位置以外に印刷する。
【００１２】
次いで、上記情報などが印刷された領域を残して、折り線により二分された領域のうちの一方の領域の剥離シートを半面除去用スリットから剥離して除去する。すると、粘着剤層が露出するとともに、基材シート、これに積層された透明フィルム及び粘着剤層に重なり合って形成された窓形成用スリットに沿って、一部領域が前記一方の領域から一体的に切り離されて窓部が形成される。
【００１３】
次に、情報などが印刷された前記他方の領域の周縁部除去用スリットに沿って剥離シートを剥離して除去することで周縁部の粘着剤層を露出させて、折り線によって二分された領域を互いに重ね合わせて貼り付けると、その周縁部においては、他方の領域の周縁部の粘着剤層と前記一方の領域の剥離シートを除去することで露出した粘着剤層とが強く接着している１枚のはがきが作成される。このはがきにおいては、窓部が重ねられる他方の領域の所定位置に住所や宛名など外部に印刷すべき事項が印刷されているので、この窓部を通して住所や宛名などを読み取り可能で、情報など内部に記載すべき事項は隠蔽された状態にある。したがって、剥離シートの他方の領域には宛名などの外側に記載すべき事項と、情報などの内側に記載すべき事項を同一面に印刷することができる。
【００１４】
そして、このはがきを受け取った顧客などは開封用のスリットに沿って基材シートを切断し、透明フィルムから剥離して内部に印刷された情報等を読み取ることができる。このように基材シートを透明フィルムから剥離して開封すると、基材シートに対し透明フィルムは、剥離可能で再接着不能に積層されているから、再貼り付け不能となり開封の履歴が残る。
以上より、本発明によれば、はがき等を作製する際にも片面印刷が可能で、かつ、不正な開封を防止するカード作製用シートを提供することができる。
【００１５】
＜請求項２の発明＞
請求項２に記載の発明によれば、基材シートには、表示された情報を透かし見ることを防止する地紋が印刷されているから基材シートが薄い場合でも基材シートを透かして情報が読み取られることを確実に防止できる。
【００１６】
＜請求項３の発明＞
請求項３に記載の発明によれば、剥離シートの半面除去用スリットは、折り線により二分された領域のうち他方の領域内に形成されているから、半面除去用スリットから剥離シートの半面を除去した後に折り線のところに剥離シートが残存せず、折り線に沿って折り曲げた際にも剥離シートが２重に重なるところがない。したがって、折り線に沿って折り曲げやすいのでカードを作成する際の作業性がよく、作製されたカードの見た目も美しい。
【発明を実施するための最良の形態】
【００１７】
＜実施形態１＞
以下、本発明を情報隠蔽はがき作製用のシート１０（以下、はがき作製用シート１０という）に適用した実施形態１について図１ないし図８を参照しながら説明する。本実施形態のはがき作製用シート１０は、例えば保険会社から顧客に送付される口座振替案内書を作製する際に使用されるものとして例示する。
【００１８】
本実施形態のはがき作製用シート１０は、図３に示すように、例えば紙製の基材シート１１と、例えばポリエチレン製の透明フィルム１２と粘着剤層１３と、例えばインクジェットプリンタにより印刷可能な紙製の剥離シート２０とを順に重ね合わせてなり（図３参照）、その縦寸法（短片側寸法）は定型のはがきサイズとほぼ同一であり、横寸法（長辺側寸法）は定型のはがきサイズの２倍の大きさである。
【００１９】
基材シート１１には、ミシン目１４（本発明における折り線）が短辺方向に沿って全領域を定型はがきのサイズに二等分するように形成され、このミシン目１４を中心としてはがき作製用シート１０を半分に折ることができる。
【００２０】
基材シート１１のうち、ミシン目１４によって区分された図１における左側の領域１５（本発明における前記折り線によって二分された領域のうちの一方、以下、第１の領域１５という）には、その上方に切手貼付枠１５Ａと閉ループ状のスリット１６（後述する）とが並んで形成され、切手貼付枠１５Ａと閉ループ状のスリット１６の下方には、基材シート１１にスリットを入れることで透明フィルム１２から基材シート１１の一部を剥離可能な開封用のスリット１７が形成されている。
【００２１】
この開封用スリット１７とミシン目１４によって取り囲まれた領域には、その周縁から数ｍｍ内側に地紋が印刷されて、はがきを作製した際に内側に配される情報を透かし見ることを防止している。この地紋が印刷されている隠蔽部１８の下端には「ここから剥がして内容をご確認下さい」の文字が印刷されている。
【００２２】
第１の領域１５の右上に形成されている閉ループ状のスリット１６は、基材シート１１、これに積層された透明フィルム１２及び粘着剤層１３の重なり合う位置に形成されており、裏側の剥離シート２０を剥離することで、この閉ループ状のスリット１６で取り囲まれた略矩形状の領域が基材シート１１の第１の領域１５から一体的に切り離されて、窓部１９を形成する窓形成用のスリット１６として機能する。
【００２３】
基材シート１１に積層されている透明フィルム１２は、基材シート１１の裏面に対し剥離可能で再接着不能に積層されている。
この透明フィルム１２に積層されている粘着剤層１３の粘着力は透明フィルム１２の裏面と剥離不能に設定されており、粘着剤層１３が相互に粘着した場合においても剥離不能に設定されている。粘着剤層１３に使用される粘着剤としては、透明なものが使用される。
【００２４】
この粘着剤層１３が重ねられている剥離シート２０には、図３に示すように、裏面２０Ｂ（粘着剤層１３側の面）にシリコン処理等の粘着性を低下させる処理が施されており、粘着剤層１３から容易に剥離することができるようになっている。
【００２５】
剥離シート２０には、ミシン目１４により二分された領域のうち、図２における右側の領域２１（基材シート１１の第１の領域１５の裏側に相当）の剥離シート２０を除去可能とする半面除去用スリット２３が、図２における左側の領域２２（本発明における他方の領域に相当、以下、第２の領域２２という）内にミシン目１４に対して平行に数ｍｍの間隔をあけて形成されている。
【００２６】
剥離シート２０のうち第２の領域２２には、半面除去用スリット２３を除く３つの周縁の端縁から数ｍｍ内側に剥離シート２０を部分的に除去可能な周縁部除去用スリット２４が形成されている。この周縁部除去用スリット２４と半面除去用スリット２３に取り囲まれている矩形状の部分は、住所、宛名および配信したい情報などが印刷される情報記載部２２Ａとされ、はがきを作製する際に第２の領域２２の外周縁と周縁部除去用スリット２４との間の領域の剥離シート２０が除去されることで、残される部分である。
【００２７】
この情報記載部２２Ａのうち、ミシン目１４に沿ってはがき作製用シート１０を２つ折りした際に窓部１９が配される部分には、カード（はがき等）として使用する際に外側に記載すべき事項（例えば配送先の住所や宛名など）が印刷され、隠蔽部１８が配される部分には内側に記載すべき事項（例えば、配信情報など）が印刷されている。なお、この情報記載部２２Ａは、ユーザが印字するまでは白紙である。
【００２８】
本実施形態のはがき作製用シート１０は以上の構成であり、次にその使用方法について説明する。
【００２９】
はがき作製用シート１０を使用する場合には、まず、ユーザが剥離シート２０の第２の領域２２の印刷可能面２０Ａの所定位置に顧客の宛名や配信したい情報などを印刷する。具体的には、第２の領域２２の情報記載部２２Ａのうち、ミシン目１４に沿ってはがき作製用シート１０を２つ折りした際に窓部１９が配される位置に、配送先の住所と宛名が印刷され、隠蔽部１８が配される位置に配信したい情報などを印刷する。この際、基材シート１１と剥離シート２０とは同型同大であって段差のない一枚の紙として取り扱うことができるから、プリンタ印刷特性は良好である。
【００３０】
印刷後、図４に示すように、第２の領域２２のうち矩形状の情報記載部２２Ａを残存させて、剥離シート２０のうち、半面除去用スリット２３から右側の領域２１の剥離シート２０と、周縁部除去用スリット２４と第２の領域２２の外周縁との間の剥離シート２０を粘着剤層１３から剥がして除去する。すると、図５に示すように、半面除去用スリット２３から右側（第１の領域１５の裏側）の粘着剤層１３と第２の領域２２の周縁部の粘着剤層１３が露出するとともに、閉ループ状の窓形成用スリット１６に沿って基材シート１１、透明フィルム１２及び粘着剤層１３が一体的に切り離され窓部１９が形成される。なお、図５における点描部分は粘着剤層１３が露出している部分を示す。
【００３１】
次いで、ミシン目１４を中心に谷折りして、第１の領域１５の裏側の粘着剤層１３が第２の領域２２の印刷可能面２０Ａに重なるように貼り合わせると、情報記載部２２Ａはミシン目１４のところで折れ曲がったりすることもなく配され、図６に示すように、一枚の定型サイズのはがきが完成する。このとき窓部１９からは、情報記載部２２Ａに印刷された住所と宛名が読み取り可能な状態となっている。そして、完成したはがきの周縁部においては粘着剤層１３同士が対向して剥離困難に接着している。
【００３２】
上記のようにして作製されたはがきを投函して郵送すれば、配信情報は秘密状態のまま顧客などに郵送される。そして、このはがきを受け取った顧客は、隠蔽部１８に印刷されている「ここから剥がして内容をご確認下さい」という取り扱い指示に従い、左下の角の部分をつまんで開封用スリット１７に沿って隠蔽部１８を透明フィルム１２から剥離する（図８参照）と、情報記載部２２Ａのうち隠蔽部１８が配される位置に印刷された情報が読み取り可能となる。そして、このように一旦、隠蔽部１８を剥離すると、基材シート１１に対して剥離シート２０は剥離可能で再接着不能に積層されていることから、再貼り付け不能となり開封の履歴が残る。
【００３３】
以上のように、本実施形態によれば、はがきなどとして使用する際に、宛名などの外側に記載すべき事項と配信情報などの内側に記載すべき事項を同一の面に印刷できるから、片面印刷が可能である。
【００３４】
また、２つ折りした際にミシン目１４のところで剥離シート２０が２重に重なることがないから、はがき作製の際の作業性がよく、出来上がったはがきの見た目も美しい。
【００３５】
＜他の実施形態＞
本発明は上記記述及び図面によって説明した実施形態に限定されるものではなく、例えば次のような実施形態も本発明の技術的範囲に含まれる。
（１）参考例として、第２の領域の周縁のうち折り線を除いた三辺について剥離シートを部分的に除去可能な周縁部除去用スリットが、周縁部除去用のミシン目である構成があげられる。
【００３６】
（２）上記実施形態１においては、カードを２領域に区分するミシン目と、剥離シートの半面を除去可能とする半面除去用スリットが別々に設けられているが、両者を兼用するミシン目を基材シートから剥離シートに及ぶように設けた構成や、半面除去用スリットが半面除去用ミシン目である構成が参考例としてあげられる。
【００３７】
（３）上記実施形態においては隠蔽領域に地紋が印刷されたものを用いたが、地紋が印刷されていないものも、本発明に含まれる。
【００３８】
（４）上記実施形態においては、情報隠蔽はがきを作製するシートに適用したが、はがきに限らず、手渡しするカードに適用することもできる。また、情報記載部のうち窓部の配される部分に宛名などに代えて他の必要事項を印刷したり手書きしたりしても良いし、窓部の配される部分の剥離シートを剥離可能とし写真や絵などを貼り付けられるようにしてもよい。
【図面の簡単な説明】
【００３９】
【図１】実施形態１のはがき作製用シートの表面図
【図２】その裏面図
【図３】図１のＡ−Ａ線で切断した断面図
【図４】はがきを作成する過程を示すはがき作製用シートの裏面の斜視図
【図５】はがきを作成する過程を示すはがき作製用シートの裏面の斜視図
【図６】完成したはがきを示す斜視図
【図７】図６のＢ−Ｂ線で切断した断面図
【図８】開封した様子を示す斜視図
【符号の説明】
【００４０】
１０…はがき作製用シート
１１…基材シート
１２…透明フィルム
１３…粘着剤層
１４…ミシン目
１５…第１の領域
１６…閉ループ状のスリット（窓形成用スリット）
１７…開封用スリット
２０…剥離シート
２２…第２の領域
２３…半面除去用スリット
２４…周縁部除去用スリット
【図１】
0004756246.tif 000002
【図２】
0004756246.tif 000003
【図３】
0004756246.tif 000004
【図４】
0004756246.tif 000005
【図５】
0004756246.tif 000006
【図６】
0004756246.tif 000007
【図７】
0004756246.tif 000008
【図８】
0004756246.tif 000009